(57)【要約】【課題】どのタイプの足場板が使用されても、枠組足場の階段取付用開口部への設置が可能な開口ガードを提供する。【解決手段】階段取付用開口部７の桁側辺沿いに配置される下枠材１１に手摺本体１２を立設してなる桁側手摺１３と、桁側手摺１３の手摺本体１２に対し所要角度開いた使用位置と手摺本体１２内に平行に折り畳まれる収納位置とに開閉自在に手摺本体１２に枢着され、階段取付用開口部７の階段上り口側と反対側に配置される妻側手摺１４と、からなる開口ガードにおいて、桁側手摺１３の下枠材１１にはその両端部から夫々斜め下向きに突出するフック基板部１５ｏ，１６ｏを有する係止用フック１５，１６を設け、両係止用フック１５，１６が建枠３の横材２に係止した状態で下枠材１１が足場板４の上面より上位に位置するように構成する。【選択図】図４
2008231853.tif 000002
【特許請求の範囲】
【請求項１】
建枠を使用して組み立てられる枠組足場の階段取付用開口部に設置される開口ガードであって、階段取付用開口部の桁側辺沿いに配置される下枠材に手摺本体を立設してなる桁側手摺と、桁側手摺の手摺本体に対し所要角度開いた使用位置と手摺本体内に平行に折り畳まれる収納位置とに開閉自在に手摺本体に枢着され、階段取付用開口部の階段上り口側と反対側に配置される妻側手摺と、からなる開口ガードにおいて、
桁側手摺の下枠材にはその両端部から夫々斜め下向きに突出するフック基板部を有する係止用フックを設け、両係止用フックが両建枠の対向する横材に係止した状態で下枠材が足場板の上面よりも上位に位置するように構成したことを特徴とする開口ガード。
【請求項２】
妻側手摺は、桁側手摺の手摺本体側に枢着された固定管部と、この固定管部に所要の伸縮位置で固定可能に嵌挿された伸縮管部とからなる上枠材を有し、この上枠材の伸縮管部の先端部には、妻側手摺の使用位置において建枠の縦材に対しその背面側から係止されるようになっている略Ｃ字形の係止部材を取り付け、このＣ字形係止部材には縦材に係止した状態でこのＣ字形係止部材を縦材に固定する固定ネジを設けたことを特徴とする請求項１に記載の開口ガード。
【発明の詳細な説明】
【技術分野】
【０００１】
本発明は、建枠を使用して組み立てられる枠組足場の階段取付用開口部に設置される開口ガードに関し、詳しくは、足場板１枚分を取り外して形成された階段取付用開口部の桁側辺沿いに配される下枠材に手摺枠を立設してなる桁側手摺と、この桁側手摺の手摺本体に対し所要角度開いた使用位置と手摺本体内に平行に折り畳まれる収納位置とに開閉自在に手摺本体に枢着され、階段取付用開口部の階段上り口側と反対側に配置される妻側手摺と、からなる安全手摺としての開口ガードに関するものである。
【背景技術】
【０００２】
図６は枠組足場のほぼ全体を示す斜視図である。ここに示される枠組足場は、両側一対の縦材１と両縦材１，１をつなぐ横材２とからなる建枠３を対向させて、両建枠３，３の対向する横材２，２間に足場板４を架け渡す（図示例では、図４から分かるように、幅広の足場板４ａと幅狭の足場板４ｂとを平行に掛け渡す）と共に、両建枠３，３の対向する縦材１，１間に筋違い５を掛張すことによって、多段状に組み立てられるわけであるが、枠組足場の組立時には、各段の足場板４への上り下りに使用する階段６を設置するために各段の足場には足場板４の１枚分を取り外して（図示例では、平行に掛け渡した幅広足場板４ａと幅狭足場板４ｂのうちの幅広足場板４ａを１枚取り外して）階段取付用開口部７を形成し、しかして各階段取付用開口部７を利用して階段６を所定の角度に設置し、各階段取付用開口部７に、安全手摺としての開口ガード１８を、幅狭足場板４ｂに隣接する桁側端部と、階段上り口側と反対側の妻側端部とに亘って設置する。
【０００３】
従来の開口ガードとして、特許公報等の具体的な公知文献を挙げることはできないが、図４の(a) には従来の開口ガード１８及びその設置状態を示す。また、図７の(a)は従来の開口ガード１８の取付状態の一部を示す平面図であり、(b) は(a) のＹ−Ｙ線断面図である。この従来の開口ガード１８は、図４の(a) から分かるように、階段取付用開口部７の桁側辺に沿って配置される下枠材１１に手摺本体１２を立設してなる桁側手摺１３と、この桁側手摺１３の手摺本体１２に対し図４の(a) 示すような所要角度開いた使用位置と手摺本体１２内に平行に折り畳まれる収納位置とに開閉自在に手摺本体１２に枢着され、階段取付用開口部７の階段上り口側と反対側に配置される妻側手摺１４と、からなるもので、桁側手摺１３の下枠材１１の両端部には、図４の(a) に示すように、両建枠３，３の対向する横材２，２に係止する係止用フック３０，３０が下枠材１１と同軸状に設けられている。
【０００４】
また妻側手摺１４は、桁側手摺１３の手摺本体１２側に枢着された固定管部１７ａと、この固定管部１７ａに所要の伸縮位置で固定可能に嵌挿された伸縮管部１７ｂとからなる上枠材１７を有し、伸縮管部１７ｂの先端部に略Ｙ字状の係止部材５０が取り付けてあって、収縮状態にある伸縮管部１７ｂを伸長させつつ建枠３の縦材１に接近させて係止し、固定ネジ（図示せず）で固定するようになっている。
【発明の開示】
【発明が解決しようとする課題】
【０００５】
足場板４の両端には両建枠３，３の対向する横材２，２に係止する係止用フック４０，４０が足場板４の各妻側端面の両端部に取り付けてあるが、各妻側端部の両係止用フック４０，４０は、図７の(a) に示すように、一方の係止用フック４０が妻側端部の若干内側へ入り込んだ位置に取り付けられ、他方の係止用フック４０は妻側端部の若干外側へ張り出した位置に取り付けられている。これは、図７の(a) の幅狭足場板４ｂの方を参照すれば分かるように、建枠３の横材２を挟んで両側に配置される足場板４，４の対向端部側の係止用フック４０，４０を互いに逆向きに隣接して同じ横材２に対し両側から係止させるようにするためである。しかして、このような場合には、並列に配置された２つの足場板４，４（図示例では幅広足場板４ａと幅狭足場板４ｂ）の間に比較的広い隙間Ｓができるようになっている。
【０００６】
従って、従来の開口ガード１８の設置にあたって、桁側手摺１３の下枠材１１を階段取付用開口部７の桁側辺に沿って配置するには、図４の(a) 及び図７の(a) に示すように、前記した足場板４，４間に形成される比較的広い隙間Ｓを利用して、下枠材１１を足場板と面一状態で階段取付用開口部７の桁側辺沿いに配置し、両端の係止用フック４０，４０を両建枠３，３の対向する横材２，２に係止させている。
【０００７】
ところが、最近使用されている足場板には、図２の(a) に示すように、両建枠３，３の対向する横材２，２間に２つの足場板４，４を並列させて掛け渡した時に、両足場板４，４の間の桁側端部間に殆ど隙間ができないように係止用フック４０を取り付けると共に、各足場板４の妻側端部と建枠３の横材２との間に隙間ができないように妻側端部に塞ぎ板３１を設けた足場板４が提供されている。然るに、このように足場板の桁側端部間及び各足場板の妻側端部と建枠３の横材２との間に隙間ができないようになっている足場板４の場合には、開口ガード１８の下枠材１１を、階段取付用開口部７の桁側辺沿いに対向する建枠３，３の横材２，２間に架け渡すことができない、という問題があった。
【０００８】
本発明は、上記の課題に鑑みて、どの様なタイプの足場板が使用されている場合でも、階段取付用開口部７への設置が可能な開口ガードを提供することも目的とする。
【課題を解決するための手段】
【０００９】
上記課題を解決するための手段を、後述する実施形態の参照符号を付して説明すると、請求項１に係る発明は、建枠３を使用して組み立てられる枠組足場の階段取付用開口部７に設置される開口ガードであって、階段取付用開口部７の桁側辺沿いに配置される下枠材１１に手摺本体１２を立設してなる桁側手摺１３と、桁側手摺１３の手摺本体１２に対し所要角度開いた使用位置と手摺本体１２内に平行に折り畳まれる収納位置とに開閉自在に手摺本体１２に枢着され、階段取付用開口部７の階段上り口側と反対側に配置される妻側手摺１４と、からなる開口ガードにおいて、
桁側手摺１３の下枠材１１にはその両端部から夫々斜め下向きに突出するフック基板部１５ｏ，１６ｏを有する係止用フック１５，１６を設け、両係止用フック１５，１６が両建枠３，３の対向する横材２，２に係止した状態で下枠材１１が足場板４の上面よりも上位に位置するように構成したことを特徴とする。
【００１０】
請求項２は、請求項１に記載の開口ガードにおいて、妻側手摺１４は、桁側手摺１３の手摺本体１２側に枢着された固定管部１７ａと、この固定管部１７ａに所要の伸縮位置で固定可能に嵌挿された伸縮管部１７ｂとからなる上枠材１７を有し、この上枠材１７の伸縮管部１７ｂの先端部には、妻側手摺１４の使用位置において建枠３の縦材１に対しその背面側から係止されるようになっている略Ｃ字形の係止部材１９を取り付け、このＣ字形係止部材１９には縦材１に係止した状態でこのＣ字形係止部材１９を縦材１に固定する固定ネジ２０を設けたことを特徴とする。
【発明の効果】
【００１１】
上記解決手段による発明の効果を、後述する実施形態の参照符号を付して説明すると、請求項１に係る発明によれば、枠組足場の階段取付用開口部７に開口ガード８を設置するにあたり、桁側手摺１３の下枠材１１を階段取付用開口部７の桁側端部沿いに配置して、下枠材１１の両端の係止用フック１５，１６を両建枠３，３の対向する横材２，２に係止する時に、両係止用フック１５，１６が両横材２，２に係止した状態で下枠材１１全体が足場板４の上面よりも上位に位置するために、建枠３の横材２に並設されている２つの足場板４ａ，４ｂ間の狭い隙間にも、係止用フック１５，１６を入り込ませることができ、それにより桁側手摺１３の取付けが可能となり、開口ガード８の設置が可能となる。
【００１２】
請求項２に係る発明によれば、妻側手摺１４先端部を建枠３の縦材１に固定するのに、妻側手摺１４先端部のＣ字形係止部材１９を縦材１に対しその背面側から係止させて固定ネジ２０で固定するようにすることにより、この固定ネジ２０が緩んでも、Ｃ字形係止部材１９が縦材１から外れることがなく、従って開口ガード８が倒れるおそれがなく、安全性が確保される。
【発明を実施するための最良の形態】
【００１３】
以下に本発明の好適な実施形態を図面に基づいて説明すると、図１の(a) は本発明に係る開口ガードの正面図、(b) は側面図であり、図２の(a) は図１に示す開口ガードの取付状態の一部を示す平面図、(b) は(a) のＸ−Ｘ線断面図である。また、図４の(b) に本発明に係る開口ガードを示す。これらの図面において８で示される本発明の開口ガードは、階段取付用開口部７の桁側辺沿いに配置される下枠材１１に手摺本体１２を立設してなる桁側手摺１３と、この桁側手摺１３の手摺本体１２に対し図４の(b) に示すような所要角度開いた使用位置と手摺本体１２内に平行に折り畳まれる収納位置とに開閉自在に手摺本体１２に枢着され、階段取付用開口部７の階段上り口側と反対側に配置される妻側手摺１４と、からなるもので、桁側手摺１３の下枠材１１の両端部には、図４の(b) に示すように、下枠材１１の両端部から夫々斜め下向きに突出するフック基板部１５ｏ，１６ｏを有する板状の係止用フック１５，１６が設けられていて、図２の(b) に示すように、両係止用フック１５，１６が建枠３の横材２に係止した状態で下枠材１１が足場板４の上面よりも上位に位置するようになっている。
【００１４】
上記開口ガード８の構造について更に説明すれば、桁側手摺１３の下枠材１１の一端側に設けられる係止用フック１５は、このフック１５を建枠３の横材２に係止した状態にロックする周知の落下錠（上げ下げ自在で、自重によって下方へスライドしてロックする）Ｇを備えており、下枠材１１の他端側に設けられた係止用フック１６は、そのような落下錠を持たない。また、下枠材１１の他端側に設けられる係止用フック１６は、取付部材３４を介して着脱自在に取り付けられる。
【００１５】
桁側手摺１３の手摺本体１２は、両縦枠部１２ａ，１２ｂと、上横枠部１２ｃと、中横枠部１２ｄと、中縦枠部１２ｅとによって矩形枠状に形成されている。妻側手摺１４は、上枠材１７と下枠材２４ａと縦枠材２４ｂとで略コ字状に形成されたもので、上枠材１７は、桁側手摺１３の手摺本体１２側に枢着された固定管部１７ａと、この固定管部１７ａ内に回転自在にして且つ所要の伸縮位置で固定可能に嵌挿された伸縮管部１７ｂとからなり、伸縮管部１７ｂの先端部には、図４の(b) に示すような妻側手摺１４の使用位置において建枠３の縦材１に対しその背面側から係止されるようになっている略Ｃ字形の係止部材１９が、コ字形ブラケット２１を介して取り付け固定され、このＣ字形係止部材１９には建枠３の縦材１に係止した状態で当該係止部材１９を縦材１に固定するための蝶ボルトからなる固定ネジ２０が設けられている。
【００１６】
上枠材１７の固定管部１７ａには、伸縮管部１７ｂを固定管部１７ａに対して所要の伸縮位置で且つ所要角度回転位置で固定するための蝶ボルトからなる固定ネジ２２が設けられている。また、Ｃ字形係止部材１９は、妻側手摺１４が桁側手摺１３内に折り畳まれて収納された状態で、手摺本体１２の中横枠部１２ｅに着脱ピン３２によって保持固定されるようになっている。この着脱ピン３２は、図３の(c) に示すように、中横枠部１２ｅからＣ字形係止部材１９の挿通孔３３に挿通される。
【００１７】
この妻側手摺１４は、図１の(a) から分かるように、上枠材１７の固定管部１７ａの基端部が手摺本体１２の上横枠部１２ｃの端部に、また下枠材２４ａの基端部が手摺本体１２の中横枠部１２ｄの端部に夫々枢軸２３で枢着されることにより、桁側手摺１３の手摺本体１２に対し所要角度開いた使用位置と手摺本体１２内に平行に折り畳まれる収納位置とに開閉自在となっている。
【００１８】
上記のように構成される開口ガード８の使用について図２の(a) ，(b) 及び図４の(b) を参照しながら説明する。尚、図２及び図４に示される枠組足場の足場板４は、両建枠３，３の対向する横材２，２間に２つの足場板４，４を並列させて（ここでは、幅広足場板４ａと幅狭足場板４ｂとを並列させて）掛け渡した時に、図２の(a) から分かるように、両足場板４ａ，４ｂの間の桁側端部間には僅かな隙間ｓしかできないように係止用フック４０が取り付けてあると共に、各足場板４ａ，４ｂの妻側端部と建枠３の横材２との間に殆ど隙間ができないように妻側端部に塞ぎ板３１が設けてあるもので、従来の開口ガード１８（図４の(a) ）の使用ができなかった足場板である。
【００１９】
しかして、本発明に係る開口ガード８を、図６に示すような枠組足場の各階段取付用開口部７に設置するには、桁側手摺１３の下枠材１１を、図２の(a) 及び図４の(b) に示すように、階段取付用開口部７の幅狭足場板４ｂに隣接する桁側端部沿いに配置して、この下枠材１１の両端の係止用フック１５，１６を両建枠３，３の対向する横材２，２に係止する。この時、両係止用フック１５，１６が両横材２，２に係止した状態で、下枠材１１の全体が足場板４の上面よりも上位に位置するため、係止用フック１５，１６は、図２の(a) から分かるように、建枠３の横材２に並設されている２つの足場板４ａ，４ｂ間の狭い隙間にも入り込ませることができ、桁側手摺１３の取付けが可能となり、従って開口ガード８の設置が可能となる。
【００２０】
こうして両建枠３，３の対向する横材２，２に上枠材１７の係止用フック１５，１６を係止させて桁側手摺１３の階段取付用開口部７の桁側端部に沿って設置した後、収納位置にある妻側手摺１４をその枢軸２３を中心に所要角度回動させて、図４の(b) に示すように、上枠材１７の伸縮管部１７ｂを、その先端部のＣ字形係止部材１９が建枠３の縦材１を通り越す位置まで適宜伸長させた後、この伸縮管部１７ｂを収縮させることによって、先端部のＣ字形係止部材１９を建枠３の縦材１に対しその背面側から係止させ、この係止状態で固定ネジ２０を締め付けてＣ字形係止部材１９を縦材１に固定する。また、固定ネジ２２を締め付けることによって、伸縮管部１７ｂを固定管部１７ａに固定する。
【００２１】
上記のように，妻側手摺１４の先端部を建枠３の縦材１に固定するのに、妻側手摺１４先端部のＣ字形係止部材１９を縦材１に対しその背面側から係止させて固定ネジ２２で固定するようにすれば、この固定ネジ２２が緩んでも、Ｃ字形係止部材１９が縦材１から外れることがなく、従って開口ガード８が倒れるおそれがなくなる。因みに、従来の開口ガード１８の妻側手摺１４では、図４の(a) に示すように、伸縮管部１７ｂの先端部にＹ字状の係止部材５０が取り付けてあって、収縮状態にある伸縮管部１７ｂを伸長させつつ建枠３の縦材１に接近させて係止し、固定ネジで固定するようになっているため、その固定ネジが振動等で緩んだ場合に係止部材５０が縦材１から外れて、開口ガード１８が倒れるおそれがある。
【図面の簡単な説明】
【００２２】
【図１】(a) は本発明に係る開口ガードの正面図、(b) は側面図である。う
【図２】(a) は図１に示す開口ガードの取付状態の一部を示す平面図、(b) は(a) のＸ−Ｘ線断面図である。
【図３】(a) は(b) のＺ−Ｚ線断面図、(b) は桁側手摺内に収納された妻側手摺の一部拡大正面図で、Ｃ字形係止部材が水平姿勢にある状態を示す。
【図４】従来の開口ガード及びその設置状態を示す斜視図、(b) は本発明に係る開口ガードその設置状態を示す斜視図である。
【図５】本発明に係る開口ガードの使用状態を示す斜視図である。
【図６】枠組足場の全体を示す斜視図である。
【図７】従来の開口ガードの取付状態の一部を示す平面図であり、(b) は(a) のＹ−Ｙ線断面図である。
【符号の説明】
【００２３】
１            建枠の縦材
２            建枠の横材
３            建枠
４            足場板
４ａ          幅広足場板
４ｂ          幅狭足場板
５            筋違い
６            階段
７            階段取付用開口部
８            本発明に係る開口ガード
１１          下枠材
１２          手摺本体
１３          桁側手摺
１４          妻側手摺
１５，１６    係止用フック
１５ｏ        フック基板部
１６ｏ        フック基板部
１７          妻側手摺の上枠材
１８          従来の開口ガード
１９          係止部材
２０          固定ネジ
【図１】
2008231853.tif 000003
【図２】
2008231853.tif 000004
【図３】
2008231853.tif 000005
【図４】
2008231853.tif 000006
【図５】
2008231853.tif 000007
【図６】
2008231853.tif 000008
【図７】
2008231853.tif 000009